(57)【要約】  ベース及びカバーが磁性体で構成されるハードディスクドライブにおいて、ディスクにアクセスするヘッドアクチュエータのボイスコイルモータにおける磁気回路を簡素化するものである。ベース面側にトップマグネットを備えるトップヨークを１枚の平板状のプレートで形成し、ベース側には、トップヨークの両端部をベース底面に平行に支持する支持部を設け、トップヨークの端部を支持部に磁気結合してボイスコイルモータの磁気回路を構成した。
2009044454.tif 000002
【特許請求の範囲】
【請求項１】
スピンドルモータによって回転する少なくとも１枚のディスク、前記ディスクにアクセスするヘッドアクチュエータ、及び前記アクチュエータを駆動するＶＣＭを、磁性体製のベースに収容する記憶装置の、前記ＶＣＭの磁気回路を、
１枚の平板状のトップヨークと、
前記トップヨークの前記ベース面側に取り付けられたトップマグネットと、
前記ベースに設けた前記トップヨークの支持部とから構成し、
前記トップヨークを前記支持部に磁気結合したことを特徴とするＶＣＭの磁気回路。
【請求項２】
請求項１に記載のＶＣＭの磁気回路において、
前記支持部を、前記ベースの製造時に同時に形成したことを特徴とするＶＣＭの磁気回路。
【請求項３】
請求項１に記載のＶＣＭの磁気回路において、
前記記憶装置のベースにパッキングを介してカバーが取り付けられており、
前記支持部と、前記ベースの外周部に設けられた、パッキング取付面との間に段差を設けたことを特徴とするＶＣＭの磁気回路。
【請求項４】
請求項１に記載のＶＣＭの磁気回路において、
前記記憶装置のベースにパッキングを介してカバーが取り付けられており、
前記支持部の頂面と、前記ベースの外周部に設けられた、パッキング取付面とを同一面に形成したことを特徴とするＶＣＭの磁気回路。
【請求項５】
請求項１から４の何れか１項に記載のＶＣＭの磁気回路において、
前記トップヨークと前記ベースの端面との間のギャップを、前記トップヨークと前記ベースの端面との間に磁気回路が形成されるように狭めたことを特徴とするＶＣＭの磁気回路。
【請求項６】
請求項１から５の何れか１項に記載のＶＣＭの磁気回路において、
前記ベースの前記トップマグネットの対向面に、ボトムマグネットを取り付けたことを特徴とするＶＣＭの磁気回路。
【請求項７】
請求項１から６の何れか１項に記載のＶＣＭの磁気回路において、
前記トップヨークの両端部を前記支持部にネジ止めしたことを特徴とするＶＣＭの磁気回路。
【請求項８】
少なくとも１枚のディスクが取り付けられたスピンドルモータ、前記ディスクにアクセスするヘッドアクチュエータ、前記アクチュエータを駆動するＶＣＭを磁性体製のベースに収容し、前記ベースは磁性体製のカバーで被覆される記憶装置において、
前記ＶＣＭのコイルに対向する前記カバーの部分にトップマグネットを取り付け、前記トップマグネットの端部の外側の前記カバーに第１の接合部を設け、前記ベースには前記第１の接合部に対向する位置に第２の接合部を設け、
前記カバーを前記ベースに取り付けた時に、前記第１と第２の接合部を磁気結合して前記ＶＣＭの磁気回路を構成したことを特徴とするＶＣＭの磁気回路。
【請求項９】
請求項８に記載のＶＣＭの磁気回路において、
前記ベースの前記トップマグネットの対向面に、ボトムマグネットを取り付けたことを特徴とするＶＣＭの磁気回路。
【請求項１０】
請求項９に記載のＶＣＭの磁気回路において、
前記第１と第２の接合部とをネジで結合したことを特徴とするＶＣＭの磁気回路。
【請求項１１】
少なくとも１枚のディスクが取り付けられたスピンドルモータ、前記ディスクにアクセスするヘッドアクチュエータ、前記アクチュエータを駆動するＶＣＭを、磁性体製のベースに収容する記憶装置において、
前記ＶＣＭの磁気回路を、１枚の平板状のトップヨーク、前記トップヨークの前記ベース面側に取り付けられたトップマグネット、及び前記ベースに設けた前記トップヨークの支持部とから構成し、
前記トップヨークを前記支持部に磁気結合したことを特徴とする記憶装置。
【請求項１２】
請求項１１に記載の記憶装置において、
前記支持部を、前記ベースの製造時に同時に形成したことを特徴とする記憶装置。
【請求項１３】
請求項１１に記載の記憶装置において、
前記支持部と、前記ベースの外周部に設けられた、パッキング取付面との間に段差を設けたことを特徴とする記憶装置。
【請求項１４】
請求項１１に記載の記憶装において
前記支持部の頂面と、前記ベースの外周部に設けられた、パッキング取付面とを同一面に形成したことを特徴とする記憶装置。
【請求項１５】
請求項１１から１４の何れか１項に記載の記憶装置において、
前記トップヨークと前記ベースの端面との間のギャップを、前記トップヨークと前記ベースの端面との間に磁気回路が形成されるように狭めたことを特徴とする記憶装置。
【請求項１６】
請求項１１から１５の何れか１項に記載の記憶装置において、
前記ベースの前記トップマグネットの対向面に、ボトムマグネットを取り付けたことを特徴とする記憶装置。
【請求項１７】
請求項１１から１６の何れか１項に記載の記憶装置において、
前記トップヨークの両端部を前記支持部にネジ止めしたことを特徴とする記憶装置。
【請求項１８】
少なくとも１枚のディスクが取り付けられたスピンドルモータ、前記ディスクにアクセスするヘッドアクチュエータ、前記アクチュエータを駆動するＶＣＭを磁性体製のベースに収容し、前記ベースは磁性体製のカバーで被覆される記憶装置において、
前記ＶＣＭのコイルに対向する前記カバーの部分にトップマグネットを取り付け、前記トップマグネットの端部の外側の前記カバーに第１の接合部を設け、前記ベースには前記第１の接合部に対向する位置に第２の接合部を設け、
前記カバーを前記ベースに取り付けた時に、前記第１と第２の接合部を磁気結合して前記ＶＣＭの磁気回路を構成したことを特徴とする記憶装置。
【請求項１９】
請求項１８に記載の記憶装置において、
前記ベースの前記トップマグネットの対向面に、ボトムマグネットを取り付けたことを特徴とする記憶装置。
【請求項２０】
請求項１９に記載の記憶装置において、
前記第１と第２の接合部とをネジで結合したことを特徴とする記憶装置。
【発明の詳細な説明】
【技術分野】
【０００１】
本発明はＶＣＭ（ボイスコイルモータ）の磁気回路及び記憶装置に関し、特に、小型磁気ディスク装置に実装されるＶＣＭの磁気回路の構造、及びこの構造を有する磁気回路を備えた記憶装置に関する。
【背景技術】
【０００２】
従来、磁気ディスクを使用するハードディスクドライブ（以後、ＨＤＤと記載する）は、コンピュータのデータや映像を記憶する周辺機器として欠かせないものとなってきている。ＨＤＤはコンピュータ以外にも記憶装置として使用され、例えば、テレビ映像を記録する画像レコーダには３．５インチ型ＨＤＤが使用され、カーナビゲーション装置には２．５インチ型ＨＤＤが使用されている。更に近年、音楽を再生するメディアプレーヤ用に１．８インチ型ＨＤＤが使用されるようになってきている。そして、ＨＤＤは、小型化されるほど、簡素な構成が必要である。【０００３】
ＨＤＤは一般に、アルミニウムのような非磁性体で作られたベースの中に、スピンドルモータによって回転する少なくとも１枚のディスク、ディスクにアクセスするヘッドを備えたアクチュエータ、及びアクチュエータを駆動するボイスコイルモータ（以後、ＶＣＭと記載する）等がある。ＶＣＭは、ベースが非磁性体の場合、特許文献１の図２に示されるように、ボトムマグネットが設けられたボトムヨークとトップマグネットが設けられたトップヨークとを備えている。トップヨークは両側が折り曲げられて脚部となっており、この脚部が平板状のボトムヨークに取り付けられて磁気回路を構成している。【０００４】
一方、ＨＤＤの小型、大容量化に対応して普及しつつある１．８インチ型のＨＤＤでは、非特許文献１に示されるように、ベースが冷間圧延鋼板（ＳＰＣＣ）で構成されている。そして、１．８インチ型のＨＤＤでは、アクチュエータも小型であるので、アクチュエータを駆動するための磁力も小さくて良い。このために、１．８インチのＨＤＤではボトムヨーク及びボトムマグネットが不要であり、ＶＣＭとして、トップマグネットが実装されたトップヨークのみがベースの上に配置されている。トップヨークは両側が折り曲げられて脚部が形成され、この脚部がベースに組み付けられている。この脚部が磁気回路における磁路となっている。【０００５】
【特許文献１】特願２００６−２９６２２０（図２）
【０００６】
【非特許文献１】東芝レビュー Vol.57 No.7 (2002)「１．８型磁気ディスク装置」
【発明の開示】
【発明が解決しようとする課題】
【０００７】
しかしながら、１．８インチ型ＨＤＤでは、小型化、軽量化のために、構造の簡素化が求められるのに対して、トップヨークは従前の構造と同じであり、トップヨークの両側に脚部形成のための折り曲げ加工が２度入り、折り曲げ加工が複雑になるという問題点があった。また、トップヨークのベースへの取り付け場所を確保するのが困難であるというスペース上の問題点があった。【０００８】
そこで本発明は、ベースが磁性体で構成され、ボトムヨークが不要なＶＣＭにおいて、トップヨークの構成を簡素化することができるＶＣＭの磁気回路及びこの回路を備えた記憶装置を提供することを目的としている。
【課題を解決するための手段】
【０００９】
前記目的を達成する本発明のＶＣＭの磁気回路の第１の形態は、スピンドルモータによって回転する少なくとも１枚のディスク、ディスクにアクセスするヘッドアクチュエータ、及びアクチュエータを駆動するＶＣＭを、磁性体製のベースに収容する記憶装置の、ＶＣＭの磁気回路を、１枚の平板状のトップヨークと、トップヨークのベース面側に取り付けられたトップマグネットと、ベースに設けたトップヨークの支持部とから構成し、トップヨークを支持部に磁気結合したことを特徴とするものである。【００１０】
前記目的を達成する本発明のＶＣＭの磁気回路の第２の形態は、少なくとも１枚のディスクが取り付けられたスピンドルモータ、ディスクにアクセスするヘッドアクチュエータ、アクチュエータを駆動するＶＣＭを磁性体製のベースに収容し、ベースは磁性体製のカバーで被覆される記憶装置において、ＶＣＭのコイルに対向するカバーの部分にトップマグネットを取り付け、トップマグネットの端部の外側のカバーに第１の接合部を設け、ベースには第１の接合部に対向する位置に第２の接合部を設け、カバーをベースに取り付けた時に、第１と第２の接合部を磁気結合してＶＣＭの磁気回路を構成したことを特徴とするものである。【００１１】
前記目的を達成する本発明の記憶装置の第１の形態は、少なくとも１枚のディスクが取り付けられたスピンドルモータ、ディスクにアクセスするヘッドアクチュエータ、アクチュエータを駆動するＶＣＭを、磁性体製のベースに収容する記憶装置において、ＶＣＭの磁気回路を、１枚の平板状のトップヨーク、トップヨークのベース面側に取り付けられたトップマグネット、及びベースに設けたトップヨークの支持部とから構成し、トップヨークを支持部に磁気結合したことを特徴とするものである。【００１２】
前記目的を達成する本発明の記憶装置の第２の形態は、少なくとも１枚のディスクが取り付けられたスピンドルモータ、ディスクにアクセスするヘッドアクチュエータ、アクチュエータを駆動するＶＣＭを磁性体製のベースに収容し、ベースは磁性体製のカバーで被覆される記憶装置において、ＶＣＭのコイルに対向するカバーの部分にトップマグネットを取り付け、トップマグネットの両端部の外側のカバーに第１の接合部を設け、ベースには第１の接合部に対向する位置に第２の接合部を設け、カバーをベースに取り付けた時に、第１と第２の接合部を磁気結合してＶＣＭの磁気回路を構成したことを特徴とするものである。
【発明の効果】
【００１３】
本発明のＶＣＭの磁気回路及びこの回路を備えた記憶装置の第１の形態によれば、ベースが磁性体で構成され、ボトムヨークが不要なＶＣＭにおいて、トップヨークを曲げ加工することなくベースに設けた支持部に取り付けることができるので、構成を簡素化することができる。また、ＶＣＭの磁気回路及びこの回路を備えた記憶装置の第２の形態によれば、ベースが磁性体で構成され、ボトムヨークが不要なＶＣＭにおいて、トップヨークの代わりに記憶装置の磁性体製のカバーを使用してＶＣＭの磁気回路を構成したので、構成を簡素化することができる。また、記憶装置の軽量化を図ることができる。
【図面の簡単な説明】
【００１４】
【図１】図１のＡは従来の１．８インチ型ＨＤＤの構成を示す平面図、図１のＢは図１のＡのＶＣＭの磁気回路の構成を示す斜視図である。
【図２】図２のＡは本発明の第１の実施例に係る１．８インチ型ＨＤＤの構成及びＶＣＭの磁気回路の構成を示す組立平面図、図２のＢは図２のＡのＶＣＭの磁気回路の構成を示す斜視図である。
【図３】図３のＡは本発明の第２の実施例に係る１．８インチ型ＨＤＤの構成及びＶＣＭの磁気回路の構成を示す組立平面図、図３のＢは図３のＡのＶＣＭの磁気回路の構成、及びＨＤＤのカバーの構成を示す斜視図である。
【図４】図４のＡは本発明の第３の実施例に係るＶＣＭの磁気回路の構成を示す斜視図、図４のＢは図４のＡの平面図である。
【図５】図５は本発明の第４の実施例に係るＶＣＭの磁気回路の構成を示す斜視図である。
【図６】図６のＡは本発明の第５の実施例に係るＶＣＭの磁気回路の構成を示す斜視図、図６のＢは図６のＡのベースとの接合部の組立斜視図である。
【図７】図７は本発明の第２の実施例に係るＶＣＭの磁気回路の具体的なベースの構成とトッププレートの構成を示す組立斜視図である。
【図８】図８のＡは本発明の第３の実施例の変形例の斜視図、図８のＢは図８のＡの平面図である。
【発明を実施するための最良の形態】
【００１５】
以下、図面を用いて本発明の好適な実施例を説明するが、本発明の実施例を説明する前に、図１のＡとＢを用いて、従来の典型的な１．８インチ型のロード／アンロード方式のＨＤＤ（ハードディスクドライブ）における、ＶＣＭ（ボイスコイルモータ）の磁気回路有する問題点について説明する。【００１６】
図１のＡは、従来の１．８インチ型のロード／アンロード方式のＨＤＤ１の一例を示すものである。ＨＤＤ１のベース２の一方の側には、記憶媒体として、スピンドルモータ３によって回転する少なくとも１枚の磁気ディスク４があり、この磁気ディスク４にはデータ記録用の多数のトラックがある。【００１７】
ＨＤＤ１のベース２の他方の側には、磁気ディスク４のトラックにアクセスするヘッドアクチュエータとして、データの読み書きを行うヘッド（図示せず）を備えるスイングアーム５がある。ヘッドはスイングアーム５の先端部に取り付けられている。スイングアーム５は回転軸６を中心にしてスイングするように構成されており、回転軸６に対してスイングアーム５と反対側には、スイングアーム５をスイングさせるＶＣＭ１０がある。【００１８】
また、ロード／アンロード方式のＨＤＤ１では、アンロード時にはヘッドを磁気ディスク４の外側に退避させる。このため、ロード／アンロード方式のＨＤＤ１には、磁気ディスク４の外周部近傍のベース２の底面２Ｂの上に、スイングアーム５の先端部にあるタブ８を保持するランプ７がある。ランプ７はその一部が磁気ディスク４とオーバラップしている。【００１９】
前述のように、１．８インチ型のＨＤＤ１では、ベース２が磁性体であるＳＰＣＣ（冷間圧延鋼板）で構成されている。このため、１．８インチ型のＨＤＤ１のＶＣＭ１０の磁気回路１１には、ボトムヨーク及びボトムマグネットがなく、磁気回路１１は、図１のＢに示すように、トップマグネット１２が下面に実装されたトップヨーク１３のみがベース２の底面上に配置されている。トップヨーク１２は両側が折り曲げられて脚部１４と足部１５が形成され、この足部１５がベース２の底面２Ｂにネジ１６で組み付けられている。【００２０】
１．８インチ型のＨＤＤ１では、図１のＢに太線の矢印で示すように、トップマグネット１３、トップヨーク１２、脚部１４、足部１５、及びベース２が、ＶＣＭ１０の磁気回路１１における磁路となっている。しかしながら、この構成の磁気回路１１ではトップヨーク１３の両側に脚部１４と足部１５とを形成するために、折り曲げ加工が２度入り、折り曲げ加工が複雑になるという問題点があった。また、トップヨーク１３の両側部分のベース２は、底面２Ｂから一段高く形成されることが多く、足部１５のベース２の底面２Ｂへの取り付け場所を確保するのが困難であるというスペース上の問題点があった。【００２１】
この問題点を解消できる本発明の実施例を以下に図２のＡから図７を用いて説明する。なお、本発明に係る実施例の説明においては、図１のＡ，Ｂで説明した従来のＨＤＤ１と同じ構成部材については同じ符号を付し、その説明をごく簡単にする。【００２２】
図２のＡは本発明の第１の実施例に係る１．８インチ型ＨＤＤ１の構成及びＶＣＭ１０の磁気回路２０の構成を示す組立図であり、図２のＢは図２のＡのＶＣＭ１０の磁気回路２０の構成を示す斜視図である。２はベース、２Ｂはベース２の底面、３はスピンドルモータ、４は磁気ディスク、５はヘッドアクチュエータを構成するスイングアーム、６はスイングアーム５の回転軸、７はランプ、８はタブである。【００２３】
第１の実施例のＶＣＭ１０の磁気回路２０では、トップヨーク２１が、１枚の平板状の磁性体プレートから構成されている。そして、トップヨーク２１のベース２の底面２Ｂ側にはトップマグネット２２が取り付けられている。トップヨーク２１を平面視した形状は、図１のＡで説明した従来のトップヨーク１３を平面視した形状と同じで良い。トップヨーク２１の両側には取付孔２２が設けられている。【００２４】
一方、ベース２の底面２Ｂには、トップヨーク２１の両端部を支持する支持部２３が、ベース２と一体的に形成されている。この支持部２３は、ベース２の製造時（プレス加工時）に同時に形成することができる。また、第１の実施例では、支持部２３の形状が平面視矩形になっているが、支持部２３の形状及び位置は、この実施例の位置及び形状に限定されるものではなく、トップヨーク２１の両端部を支持できる位置であれば、その位置、形状は限定されるものではない。【００２５】
そして、第１の実施例における支持部２３のベース底面２Ｂからの高さは、ベース２の外周部の上縁部２Ａのベース底面２Ｂからの高さよりも僅かに低くなっている。支持部２３の頂面にはネジ孔２４が設けられている。ネジ孔２４の位置は、トップヨーク２１の両側に設けられた取付孔２２に対応している。【００２６】
第１の実施例では、図２のＡに示すように、スイングアーム５を回転軸６に取り付けた後に、トップヨーク２１の取付孔２２を支持部２３のネジ孔２４に合せ、ネジ１６で固着すれば良い。第１の実施例では、トップマグネット２２、トップヨーク２１、支持部２３、及びベース２が、ＶＣＭ１０の磁気回路２０における磁路となっている。第１の実施例の磁気回路２０では、トップヨーク２１に折り曲げ加工がないので、構成が簡素でコストも安い利点がある。また、支持部２３のベース底面２Ｂの上の設置位置にも自由度があるという利点がある。【００２７】
なお、実際には、ベース２の外周部の上縁部２Ａには、パッキングを介してＨＤＤ１のカバーが取り付けられる。このカバーについては、後の実施例で説明される。【００２８】
図３のＡは本発明の第２の実施例に係る１．８インチ型ＨＤＤ１の構成及びＶＣＭ１０の磁気回路３０の構成を示す組立図であり、図３のＢは図３のＡのＶＣＭ１０の磁気回路３０の構成、及びＨＤＤ１のカバー９の構成を示す斜視図である。第３の実施例では、第２の実施例におけるトップヨーク２１をそのまま使用することができ、第２の実施例が第１の実施例と異なる点は、トップヨーク２１を支持する支持部２５の構造のみである。よって、第３の実施例では、第２の実施例と同じ構成部材については同じ符号を付してその説明を省略する。【００２９】
第１の実施例のＶＣＭ１０の磁気回路２０では、ベース２の底面２Ｂには、トップヨーク２１の両端部を指示する支持部２３が、ベース２と一体的に形成されていて、支持部２３のベース底面２Ｂからの高さが、ベース２の外周部の上縁部２Ａのベース底面２Ｂからの高さよりも僅かに低くなっていた。一方、第２の実施例の磁気回路３０では、支持部２５のベース底面２Ｂからの高さが、ベース２の外周部の上縁部２Ａのベース底面２Ｂからの高さと同じになっている。即ち、支持部２５の頂面とベース２の外周部の上縁部２Ａの頂面は、同一平面上にある。【００３０】
この支持部２５も、ベース２の製造時に同時に形成することができる。また、支持部２５の頂面には、トップヨーク２１の両側に設けられた取付孔２２に対応するネジ孔２４が設けられていることも同様である。また、支持部２５を平面視した形状及び位置は、この実施例の位置及び形状に限定されるものではなく、トップヨーク２１の両端部を支持できる位置であれば、その位置、形状は限定されるものではない。このようにベース外周部の上縁部２Ａと支持部２５との間の段差をなくすことにより、段差の角部に磁束が集中することがなくなり、磁束を均等に飽和させることができる。【００３１】
第２の実施例でも、図３のＡに示すように、スイングアーム５を回転軸６に取り付けた後に、トップヨーク２１の取付孔２２を支持部２５のネジ孔２４に合せ、ネジ１６で固着すれば良い。第２の実施例でも、トップマグネット２２、トップヨーク２１、支持部２５、及びベース２が、ＶＣＭ１０の磁気回路３０における磁路となっている。第２の実施例の磁気回路３の効果は、第１の実施例の効果と同じである。ベース２の外周部の上縁部２Ａには、パッキング１７を介してＨＤＤ１のカバー９が取り付けられる。【００３２】
図４のＡは本発明の第３の実施例に係るＶＣＭ１の磁気回路４０の構成を示す斜視図であり、図４のＢは図４のＡの平面図である。第３の実施例は、図３のＡ，Ｂで説明した第２の実施例とほぼ同じであり、第３の実施例が第２の実施例と異なる点は、トップヨーク２６の形状のみである。よって、第３の実施例では、第２の実施例と同じ構成部材については同じ符号を付してその説明を省略する。【００３３】
第３の実施例のＶＣＭ１０の磁気回路４０では、ＶＣＭ１０の磁気飽和度の改善及び磁気効率の向上のために、トップヨーク２６のベース上端部２Ａ側の端面を延長し、ベース上端部２Ａとの間のギャップＧを狭めている。このようにトップヨーク２６のベース上端部２Ａ側の端面と、ベース上端部２Ａとの間のギャップＧが狭いと、両者間に磁路が形成される。【００３４】
この結果、第３の実施例では、ＶＣＭ１０の磁気回路４０における磁路が大きくなり、ＶＣＭ１０の磁気飽和度が改善されると共に、磁気効率の向上を図ることができる。【００３５】
図５は本発明の第４の実施例に係るＶＣＭの磁気回路５０の構成を示す斜視図である。第４の実施例は、第３の実施例の磁気回路４０に、ボトムマグネット２７を追加したものである。これは、第３の実施例では、ＶＣＭ１０の磁気回路４０における磁路が大きくなり、ＶＣＭ１０の磁気飽和度が改善されているからである。ボトムマグネット２７は、ベース底面２Ｂのトップマグネット２２に対向する位置に設置すれば良い。【００３６】
このように、ボトムマグネット２７を直接ベース底面２Ｂに取り付けた場合、２．５インチ型ＨＤＤでは、ベース２が磁性体であるので、ベース２をヨークとして使用することができる。この結果、磁気特性を更に向上させて性能を良くすることができる。【００３７】
図６のＡは本発明の第５の実施例に係るＶＣＭの磁気回路６０の構成を示す斜視図であり、図６のＢは図６のＡのベース２との接合部の組立斜視図である。【００３８】
第１から第４の実施例では、トップヨーク１３の裏面にトップマグネットが設けられていたが、第５の実施例では、第１から第４の実施例と異なり、トップマグネット２２を、第２の実施例で説明したＨＤＤ１のカバー９の内面に設けている。また、第５の実施例では、ボトムマグネット２７を第４の実施例と同様に、ベース底面２Ｂのトップマグネット２２に対向する位置に設置し、磁性体であるベース２をヨークとして使用している。【００３９】
第２の実施例で説明したように、カバー９は非磁性体であるパッキン１７を介してベース２に接続されるので、カバー９とベースの間には磁路が形成されない。そこで、第５の実施例では、図６のＢに示すように、トップマグネット２２の両端部の外側のカバー９に第１の接合部として、下に突の突起部２９を形成している。この突起部２９の中央部にもネジ孔２４がある。【００４０】
一方、ベース２の底面２Ｂには、突起部２９に対向する位置に、第２の接合部として前述の実施例と同様に支持部２５を設け、支持部２５の頂面には更に突出部２８を設けておく。そして、この突出部２８の中央にネジ孔２４を設けておく。突出部２８は、カバー９をベース２に取り付けた時に、カバー９の突起部２９に支持部２５を当接させるためのものである。【００４１】
そして、ＨＤＤへのカバー取付時に、図６のＢに示すように、突出部２８のネジ孔２４に、突起部２９のネジ孔２４を合わせ、ネジ１６で両者を電気的に導通させて結合し、磁気結合による磁気回路を構成する。【００４２】
このように、第５の実施例では、ＨＤＤのカバー９を、トップマグネット２２のヨークとして使用することができる。この場合、ベース底面２Ｂからトップマグネット２２までの距離は、マグネットの厚さを調整することにより、自由に設定することができる。【００４３】
図７は、本発明の第２の実施例に係るＶＣＭの磁気回路３０の具体的な構成を示すものであり、この図にはベース２とトッププレート２１のみが示してある。この実施例では、磁気ディスクに近い側の支持部２５は、ベース２の上端部２Ａが内側にそのまま膨出されて形成された連続型支持部２５Ａとなっている。一方、磁気ディスクに遠い側の支持部２５は、ベース２の上端部２Ａから離れた位置に、ベース底面２Ｂから突出する形の独立型支持部２５Ｂとなっている。独立型支持部２５Ｂの頂面のベース底面２Ｂからの高さは、ベース２の上端部２Ａのベース底面２Ｂからの高さに等しい。【００４４】
この実施例では、トップヨーク２１の一方の取付孔２２を連続型支持部２５Ａのネジ孔２４に合せ、他方の取付孔２２を独立型支持部２５Ｂのネジ孔２４に合せ、それぞれネジ１６で固着することができる。【００４５】
なお、トップヨークの形状、トップヨークの支持部の位置及び形状は、前述の実施例に限定されるものではない。また、本発明はＨＤＤに限定されず、ロータリーアクチュエータを有する光ディスク装置や光磁気ディスク装置にも応用可能である。【００４６】
なお、以上説明した実施例では、トップヨーク２１の両端部のみを支持部２３または支持部２５で支持する形態を説明したが、トップヨーク２１の支持は２箇所に限定されるものではない。例えば、図８のＡとＢに示す、本発明の第３の実施例の変形例のように、トップヨーク２１を３箇所で支持しても良い。
【図１】
2009044454.tif 000003
【図２】
2009044454.tif 000004
【図３】
2009044454.tif 000005
【図４】
2009044454.tif 000006
【図５】
2009044454.tif 000007
【図６】
2009044454.tif 000008
【図７】
2009044454.tif 000009
【図８】
2009044454.tif 000010
【国際調査報告】
2009044454.tif 000011
2009044454.tif 000012